(57)【要約】【課題】  外装筺体に対する蓋体の着脱を簡単にかつ、簡素な構造で実現できるプロジェクタを提供する。【解決手段】プロジェクタ１は、外装筺体２の天面部２１Ａに形成された天面開口部２６１Ａを閉塞可能とするランプカバー２７と、天面部２１Ａに対してランプカバー２７を着脱自在に取り付けるランプカバー開閉部２６とを備える。ランプカバー開閉部２６は、天面部２１Ａの裏面に取り付けられランプカバー２７の係合突起２７２と係合する係合部２６２３Ａを有し係合位置Ｐ１および非係合位置Ｐ２の間を移動可能に構成されるスライダ部２６２を備える。スライダ部２６２には、非係合位置Ｐ２に移動する際に係合突起２７２に摺接し、係合位置Ｐ１に移動する移動方向に直交する平面に対して天面部２１Ａ側に向かうにしたがって前記移動方向に傾斜したスライダ部傾斜面２６２３Ｃが形成されている。【選択図】 図１０
2006343503.tif 000002
【特許請求の範囲】
【請求項１】
光源装置と、前記光源装置を内部に収納配置する外装筺体とを備えるとともに、前記光源装置から射出された光束を変調して拡大投射するプロジェクタであって、
前記外装筺体の天面部には、前記光源装置の位置に対応した位置に天面開口部が形成され、
前記天面開口部を閉塞可能とする蓋体と、前記天面部に対して前記蓋体を着脱自在に取り付ける蓋体開閉部とを備え、
前記蓋体には、前記蓋体が前記天面部に対して取り付けられた状態で前記天面開口部を介して前記外装筺体内部に突出する係合突起が形成され、
前記蓋体開閉部は、前記天面部の裏面に取り付けられ前記係合突起と係合する係合部を有し前記係合部と前記係合突起とが係合する係合位置、および前記係合部と前記係合突起とが係合しない非係合位置の間を移動可能に構成される係合移動部を備え、
前記係合移動部には、前記係合移動部が前記非係合位置に移動する際に前記係合突起に摺接し、前記非係合位置への移動方向に直交する平面に対して前記天面部側に向かうにしたがって前記移動方向と逆方向に傾斜した係合移動部傾斜面が形成されていることを特徴とするプロジェクタ。
【請求項２】
請求項１に記載のプロジェクタにおいて、
前記係合突起には、前記係合移動部傾斜面に対応し前記係合移動部傾斜面に摺接する突起傾斜面が形成されていることを特徴とするプロジェクタ。
【請求項３】
請求項１または請求項２に記載のプロジェクタにおいて、
前記蓋体開閉部は、前記天面部および前記係合移動部の間に配設され、前記係合移動部を前記係合位置側に付勢する付勢部材を備えていることを特徴とするプロジェクタ。
【請求項４】
請求項１から請求項３のいずれかに記載のプロジェクタにおいて、
前記係合移動部は、前記天面部に略平行する板状の係合移動部本体と、前記係合移動部本体の板面に立設され前記係合移動部の移動方向に略直交する押圧部とを備え、
前記外装筺体における前記天面部に交差する側面部には、前記押圧部と平面的に干渉する位置に前記係合移動部を前記非係合位置に移動させるための操作用孔が形成されていることを特徴とするプロジェクタ。
【請求項５】
請求項１から請求項４のいずれかに記載のプロジェクタにおいて、
前記蓋体開閉部は、前記天面部における前記天面開口部周縁に形成され前記係合移動部を取り付けるための基部を備え、
前記基部には、前記天面部と略直交する方向に突出し平面視枠状の第１リブが形成され、
前記蓋体の裏面には、前記蓋体と略直交する方向に突出し前記蓋体が前記天面部に対して取り付けられた状態で前記第１リブと嵌合する平面視枠状の第２リブが形成され、
前記第１リブおよび前記第２リブには、前記係合移動部が前記非係合位置に位置付けられた状態での前記天面部に対する前記蓋体の移動位置を係止する係止構造が形成されていることを特徴とするプロジェクタ。
【請求項６】
請求項１から請求項５のいずれかに記載のプロジェクタにおいて、
前記蓋体開閉部は、前記天面部における前記天面開口部周縁に形成され前記係合移動部を取り付けるための基部を備え、
前記基部は、前記天面開口部周縁から前記外装筐体内部側に突出する平面視枠状の第１起立部と、前記第１起立部に接続し前記天面開口部を平面的に覆い前記天面部と略平行に延出する段差部とで構成され、
前記段差部は、前記光源装置の位置に対応した位置に形成され前記天面開口部よりも開口面積が小さい段差開口部と、前記外装筺体の外側に向けて突出し前記段差開口部を囲う平面視枠状の第１リブとを有し、
前記蓋体の裏面には、前記蓋体と略直交する方向に突出し前記蓋体が前記天面部に対して取り付けられた状態で前記第１起立部および前記第１リブとそれぞれ嵌合する平面視枠状の第２起立部および第２リブが形成されていることを特徴とするプロジェクタ。
【発明の詳細な説明】
【技術分野】
【０００１】
本発明は、プロジェクタに関する。
【背景技術】
【０００２】
従来、光源装置と、光源装置を内部に収納配置する外装筺体とを備えるとともに、光源装置から射出された光束を変調して拡大投射するプロジェクタが知られている。
そして、このようなプロジェクタには、光源装置に寿命がきたとき等、光源装置を取り出して交換できるように、外装筺体には光源装置の位置に対応して開口が形成され、開口をランプカバー（蓋体）で塞ぐとともに外装筺体に対して着脱可能とする構造が採用されている（例えば、特許文献１参照）。
特許文献１に記載のプロジェクタでは、外装筺体には、ランプカバーに形成された第２係合部と係合し移動可能とするロックレバーと、第２係合部およびロックレバーの係合状態を解除させるようにランプカバーを付勢する第１付勢手段と、第２係合部およびロックレバーの係合状態を解除させたときランプカバーを若干開いた状態で外装筺体に係止させる係止部の係止状態を維持させるようにランプカバーを付勢する第２付勢手段とが取り付けられている。以上のような構成により、光源装置の交換作業を簡単に実施することができる。
【０００３】
【特許文献１】特開２００３−４３５８３号公報
【発明の開示】
【発明が解決しようとする課題】
【０００４】
しかしながら、特許文献１に記載のプロジェクタでは、外装筺体に対してロックレバー、第１付勢手段、および第２付勢手段等を取り付ける必要があり、その製造が煩雑化しやすい。このため、外装筺体に対するランプカバーの着脱を簡単にかつ、簡素な構造で実現できる技術が要望されている。
【０００５】
本発明の目的は、外装筺体に対する蓋体の着脱を簡単にかつ、簡素な構造で実現できるプロジェクタを提供することにある。
【課題を解決するための手段】
【０００６】
本発明のプロジェクタは、光源装置と、前記光源装置を内部に収納配置する外装筺体とを備えるとともに、前記光源装置から射出された光束を変調して拡大投射するプロジェクタであって、前記外装筺体の天面部には、前記光源装置の位置に対応した位置に天面開口部が形成され、前記天面開口部を閉塞可能とする蓋体と、前記天面部に対して前記蓋体を着脱自在に取り付ける蓋体開閉部とを備え、前記蓋体には、前記蓋体が前記天面部に対して取り付けられた状態で前記天面開口部を介して前記外装筺体内部に突出する係合突起が形成され、前記蓋体開閉部は、前記天面部の裏面に取り付けられ前記係合突起と係合する係合部を有し前記係合部と前記係合突起とが係合する係合位置、および前記係合部と前記係合突起とが係合しない非係合位置の間を移動可能に構成される係合移動部を備え、前記係合移動部には、前記係合移動部が前記非係合位置に移動する際に前記係合突起に摺接し、前記非係合位置への移動方向に直交する平面に対して前記天面部側に向かうにしたがって前記移動方向と逆方向に傾斜した係合移動部傾斜面が形成されていることを特徴とする。
【０００７】
ここで、係合移動部としては、係合位置および非係合位置の間を移動可能とすればよく、移動構造としてはスライド移動させる構造や回動させる構造等を採用できる。
本発明では、係合移動部を係合位置および非係合位置に移動させることで、蓋体を天面部（蓋体開閉部）に対して着脱する。このことにより、外装筺体に係合移動部のみを取り付けるだけで外装筺体に対する蓋体の着脱が可能となり、その構造を簡素化できる。
また、係合移動部には、移動方向に直交する平面に対して天面部側に向かうにしたがって係合移動部が非係合位置に移動する際の移動方向と逆方向に傾斜した係合移動部傾斜面が形成されている。このことにより、係合移動部を非係合位置に移動させる際に、係合移動部傾斜面が蓋体の係合突起に摺接し蓋体の係合突起を天面部側に向けて押圧して蓋体をリフトアップさせることができる。このため、係合移動部の１部材のみで、蓋体と外装筺体（係合部）との係合状態を解除しかつ、蓋体をリフトアップさせる構造を実現できる。
したがって、外装筺体に対する蓋体の着脱を簡単にかつ、簡素な構造で実現でき、本発明の目的を達成できる。
【０００８】
本発明のプロジェクタでは、前記係合突起には、前記係合移動部傾斜面に対応し前記係合移動部傾斜面に摺接する突起傾斜面が形成されていることが好ましい。
本発明によれば、係合突起にも係合移動部傾斜面に対応した突起傾斜面が形成されているので、係合移動部を非係合位置に移動させる際に突起傾斜面および係合移動部傾斜面を摺接させることができ、係合移動部の移動を円滑に実施できる。このため、外装筺体に対して蓋体を取り外す操作を円滑に実施できる。
【０００９】
本発明のプロジェクタでは、前記蓋体開閉部は、前記天面部および前記係合移動部の間に配設され、前記係合移動部を前記係合位置側に付勢する付勢部材を備えていることが好ましい。
本発明では、蓋体開閉部が係合移動部を係合位置側に付勢する付勢部材を備えているので、係合移動部は係合位置側に常に付勢されていることとなる。このことにより、係合移動部における係合位置側または非係合位置側への２方向の移動のうち、係合位置側への移動を付勢部材が実施することとなるので、非係合位置側への移動のみを手動で実施すればよい。このため、外装筺体に対して蓋体を着脱する際には、係合移動部の前記２方向の移動のうち、非係合位置側への移動のみを手動で実施すればよく、蓋体の着脱操作を簡単に実施できる。
【００１０】
本発明のプロジェクタでは、前記係合移動部は、前記天面部に略平行する板状の係合移動部本体と、前記係合移動部本体の板面に立設され前記係合移動部の移動方向に略直交する押圧部とを備え、前記外装筺体における前記天面部に交差する側面部には、前記押圧部と平面的に干渉する位置に前記係合移動部を前記非係合位置に移動させるための操作用孔が形成されていることが好ましい。
本発明では、係合移動部に押圧部が形成され、外装筺体における天面部に交差する側面部に操作用孔が形成されている。このことにより、操作用孔を介して外装筺体外部からドライバ等の棒状部材を外装筺体内部に挿通し、前記棒状部材の先端にて押圧部を押圧することで、係合移動部を非係合位置に簡単に移動させることができる。
また、操作用孔が天面部に交差する側面部に形成されているので、例えば操作用孔が天面部に形成されている構成と比較して、プロジェクタの駆動時に光源装置からの漏れ光が操作用孔を介してプロジェクタ外部に漏れる量を低減できる。このため、漏れ光による投影画像に与える影響を抑制でき、観賞者に投影画像を良好に観賞させることができる。
【００１１】
本発明のプロジェクタでは、前記蓋体開閉部は、前記天面部における前記天面開口部周縁に形成され前記係合移動部を取り付けるための基部を備え、前記基部には、前記天面部と略直交する方向に突出し平面視枠状の第１リブが形成され、前記蓋体の裏面には、前記蓋体と略直交する方向に突出し前記蓋体が前記天面部に対して取り付けられた状態で前記第１リブと嵌合する平面視枠状の第２リブが形成され、前記第１リブおよび前記第２リブには、前記係合移動部が前記非係合位置に位置付けられた状態での前記天面部に対する前記蓋体の移動位置を係止する係止構造が形成されていることが好ましい。
本発明では、天面部に対して蓋体を取り付けた状態では、蓋体開閉部における平面視枠状の第１リブ、および蓋体における平面視枠状の第２リブが嵌合する。このため、第１リブおよび第２リブにより、プロジェクタの駆動時に光源装置からの漏れ光を遮蔽する構造となり、天面開口部を介してプロジェクタ外部に漏れる量を低減できる。このため、漏れ光による投影画像に与える影響を抑制でき、観賞者に投影画像を良好に観賞させることができる。
また、第１リブおよび第２リブには係止構造が形成されているので、係合移動部が非係合位置に位置付けられ天面部に対して蓋体が若干開いた状態を係止構造によって維持できる。このため、プロジェクタが天吊りの姿勢状態（例えば、プロジェクタの底面が天井等の接地面に接地している状態）の場合に、係合移動部を非係合位置に移動させて天面部に対して蓋体を取り外す際に、蓋体が外れ落ちることがなく、蓋体の取り外し作業を良好に実施できる。
さらに、係止構造を第１リブおよび第２リブに形成することで、上述したように第１リブおよび第２リブにより漏れ光を遮蔽可能とするので、例えば、他の位置に係止構造を形成した構成と比較して、係止構造（例えば、凹部や孔）を介してプロジェクタ外部に漏れる漏れ光の量を低減できる。
【００１２】
本発明のプロジェクタでは、前記蓋体開閉部は、前記天面部における前記天面開口部周縁に形成され前記係合移動部を取り付けるための基部を備え、前記基部は、前記天面開口部周縁から前記外装筐体内部側に突出する平面視枠状の第１起立部と、前記第１起立部に接続し前記天面開口部を平面的に覆い前記天面部と略平行に延出する段差部とで構成され、前記段差部は、前記光源装置の位置に対応した位置に形成され前記天面開口部よりも開口面積が小さい段差開口部と、前記外装筺体の外側に向けて突出し、前記段差開口部を囲う平面視枠状の第１リブとを有し、前記蓋体の裏面には、前記蓋体と略直交する方向に突出し前記蓋体が前記天面部に対して取り付けられた状態で前記第１起立部および前記第１リブとそれぞれ嵌合する平面視枠状の第２起立部および第２リブが形成されていることが好ましい。
本発明によれば、天面部に対して蓋体を取り付けた状態では、蓋体開閉部における平面視枠状の第１起立部および第１リブと、蓋体における平面視枠状の第２起立部および第２リブとがそれぞれ嵌合する。このため、第１リブおよび第２リブと、第１起立部および第２起立部とで、プロジェクタの駆動時に光源装置からの漏れ光を２重で遮蔽する構造を実現できる。このため、段差開口部および天面開口部を介してプロジェクタ外部に光が漏れることを防止できる。
【発明を実施するための最良の形態】
【００１３】
以下、本発明の実施の一形態を図面に基づいて説明する。
〔１．外観構成〕
図１および図２は、プロジェクタ１の外観を示す斜視図である。具体的に、図１は、プロジェクタ１を前面上方側から見た斜視図である。図２は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１または図２に示すように、略直方体状の外装筺体２、およびこの外装筺体２から露出する投射光学装置としての投射レンズ３（図１）を備える。
投射レンズ３は、筒状の鏡筒内に複数のレンズが収納された組レンズとして構成され、プロジェクタ１の装置本体により画像情報に応じて変調された光学像を拡大投射する。
【００１４】
外装筺体２は、合成樹脂製の筺体であり、プロジェクタ１の装置本体を収納する。この外装筺体２は、図１または図２に示すように、装置本体の上部部分を覆うアッパーケース２１と、装置本体の下部部分を覆うロアーケース２２と、装置本体の前面部分を覆うフロントケース２３（図１）と、装置本体の背面部分を覆うリアケース２４（図２）とを備える。
アッパーケース２１は、図１または図２に示すように、外装筺体２の天面、側面の一部、背面の一部、および前面の一部をそれぞれ形成する天面部２１Ａ、側面部２１Ｂ，２１Ｃ、背面部２１Ｄ、前面部２１Ｅを含んで構成される。
【００１５】
天面部２１Ａは、図１または図２に示すように、平面視略矩形形状を有し、平面視略中央部分から前面側、側面側、および背面側にかけて、なだらかに湾曲し、凸曲面形状を有する。
この天面部２１Ａにおいて、前方側であって、前方から見て右側部分には、図１または図２に示すように、３つの開口部２１Ａ１が形成されている。そして、３つの開口部２１Ａ１は、投射レンズ３を操作可能としスクリーン（図示略）上に投射された投影画像のフォーカス調整、ズーム調整、および投射位置調整を実施するための各種回転つまみ３Ａの一部を露出させる。
また、この天面部２１Ａにおいて、開口部２１Ａ１の後方側には、図１または図２に示すように、プロジェクタ１の起動・調整操作を実施する操作パネル２５が左右方向に延びるように設けられている。操作パネル２５の操作ボタン２５１を適宜押下すると、操作ボタン２５１内部に配置される図示しない回路基板に実装されたタクトスイッチと接触し、所望の操作が可能となる。また、前記回路基板には、図示しないＬＥＤ(Light Emitting Diode)が取り付けられており、所定の操作に応じて発光するようになっている。
なお、前述した操作パネル２５の回路基板は、制御基板（図示略）と電気的に接続され、操作ボタン２５１の押下に伴う操作信号は、制御基板に出力される。
【００１６】
さらに、この天面部２１Ａにおいて、前方側から見て操作パネル２５の左側部分には、図１または図２に示すように、平面視矩形状の天面開口部２６１Ａが形成されている。そして、天面部２１Ａには、天面開口部２６１Ａを塞ぐ平面視矩形板状の蓋体としてのランプカバー２７が着脱自在に取り付けられている。そして、ランプカバー２７を天面部２１Ａから取り外すことで、外装筺体２の内部に配置される後述する光源装置が交換可能となる。
なお、天面部２１Ａに対するランプカバー２７の係合構造については、後述する。
【００１７】
側面部２１Ｂは、図１または図２に示すように、天面部２１Ａの長辺方向端縁から略垂下し、凸曲面を有するように投射方向両端縁が前面側および背面側に湾曲して背面部２１Ｄおよび前面部２１Ｅと接続する。具体的な図示は省略するが、側面部２１Ｃも側面部２１Ｂと同様の形状を有している。
これら側面部２１Ｂ，２１Ｃのうち側面部２１Ｂにおいて、前方側には、図１または図２に示すように、下端縁から上方側にかけて平面視略コ字状の切り欠き２１Ｂ１が形成されている。
【００１８】
背面部２１Ｄは、図２に示すように、天面部２１Ａの短辺方向後方側端縁から略垂下し、下端縁から上方側にかけて切り欠き２１Ｄ１が形成され、平面視略コ字形状を有する。
前面部２１Ｅは、図１に示すように、天面部２１Ａの短辺方向前方側端縁から略垂下し、下端縁から上方側にかけて切り欠き２１Ｅ１が形成され、平面視略コ字形状を有する。
【００１９】
ロアーケース２２は、図１または図２に示すように、外装筺体２の底面、側面の一部、背面の一部、および前面の一部をそれぞれ形成する底面部２２Ａ、側面部２２Ｂ，２２Ｃ、背面部２２Ｄ（図２）、および前面部２２Ｅ（図１）を含んで構成される。
底面部２２Ａは、具体的な図示は省略するが、略矩形状の平坦面で構成されている。そして、この底面部２２Ａには、机等の接地面に接地する複数の脚部や、プロジェクタ１内部に外部の冷却空気を導入するための吸気口が形成されている。
【００２０】
側面部２２Ｂは、図１または図２に示すように、底面部２２Ａの長辺方向両端縁から上方に立設し、凸曲面を有するように投射方向両端縁が前面側および背面側に湾曲して背面部２２Ｄおよび前面部２２Ｅと接続する。
これら側面部２２Ｂにおいて、前方側から見て左側の側面部２２Ｂの前方側には、図１または図２に示すように、上端縁から下方側にかけて切り欠き２２Ｂ１が形成されている。そして、アッパーケース２１とロアーケース２２とを組み立てた状態では、切り欠き２１Ｂ１と切り欠き２２Ｂ１とが接続し、外装筺体２内部の空気を外部に排出するための平面視略矩形状の排気口２８が形成される。そして、この排気口２８には、図１または図２に示すように、外装筺体２内部に配置されプロジェクタ１内部にて温められた空気を外部に排出する排気ファン（図示略）から吐出された空気を所定方向に整流するルーバ８１が取り付けられている。
【００２１】
背面部２２Ｄは、図２に示すように、底面部２２Ａの短辺方向後方側端縁から上方に立設し、上端縁から下方側にかけて切り欠き２２Ｄ１が形成され、平面視略コ字形状を有する。そして、アッパーケース２１における背面部２１Ｄのコ字状内側部分、およびロアーケース２２における背面部２２Ｄのコ字状内側部分にてリアケース２４が支持固定される。
この背面部２２Ｄにおいて、下方側であって後方側から見て右側部分には、図２に示すように、外装筺体２の内側に窪み、底部分に矩形状の開口２２Ｄ２が形成されている。そして、この開口２２Ｄ２を介して内部のインレットコネクタ（図示略）が露出し、外部の電力をプロジェクタ１の装置本体に供給可能としている。
【００２２】
前面部２２Ｅは、図１に示すように、底面部２２Ａの短辺方向前方側端縁から上方に立設し、上端縁から下方側にかけて切り欠き２２Ｅ１が形成され、平面視コ字形状を有する。そして、アッパーケース２１における前面部２１Ｅのコ字状内側部分、およびロアーケース２２における前面部２２Ｅのコ字状内側部分にてフロントケース２３が支持固定される。
【００２３】
フロントケース２３は、図１に示すように、左右方向に延びる略楕円形状を有し、アッパーケース２１およびロアーケース２２と接続することで、前面部２１Ｅ，２２Ｅにて形成される開口部分を閉塞する。
このフロントケース２３において、前方から見て右側部分には、図１に示すように、外装筺体２の内側に窪み、底部分に略円形状の開口２３１が形成されている。そして、この開口２３１は、投射レンズ３の先端部分を露出させる。
また、このフロントケース２３において、長手方向略中央部分には、図１に示すように、リモコン受光窓２３２が形成されている。そして、このリモコン受光窓２３２の内側には、リモートコントローラ（図示略）からの操作信号を受信するリモコン受光モジュール（図示略）が配置されている。
なお、リモートコントローラには、前述した操作パネル２５に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介してリモコン受光モジュールで受光され、制御基板（図示略）で処理される。
【００２４】
リアケース２４は、図２に示すように、左右方向に延びる略楕円形状を有し、アッパーケース２１およびロアーケース２２と接続することで、背面部２１Ｄ，２２Ｄにて形成される開口部分を閉塞する。
このリアケース２４において、後方側から見て左側部分には、図２に示すように、外装筺体２の内側に窪む平面視矩形状の凹部２４１が形成されている。
この凹部２４１には、図２に示すように、複数の孔２４２が形成され、これら複数の孔２４２を介して、外部の電子機器からの画像信号、音声信号等を入力するための複数の接続端子２４３が外部に露出している。また、このリアケース２４の内側には、接続端子２４３から入力される信号を処理するインターフェース基板（図示略）が配置されている。
なお、前記インターフェース基板は、制御基板（図示略）と電気的に接続され、インターフェース基板にて処理された信号は、制御基板に出力される。
【００２５】
また、このリアケース２４において、後方側から見て凹部２４１の右側部分には、図２に示すように、プロジェクタ１外部に音声を出力するためのスピーカ孔２４４が形成されている。このスピーカ孔２４４の内側には、制御基板（図示略）により制御され、所定の音声を出力するスピーカが配置されている。
さらに、このリアケース２４において、後方側から見てスピーカ孔２４４の左上側部分には、図２に示すように、外装筺体２の内部と連通し、天面部２１Ａに対するランプカバー２７の係合状態を解除するための操作用孔２４５が形成されている。
【００２６】
〔２．内部構成〕
図３は、プロジェクタ１の内部構成を示す図である。
外装筺体２の内部には、図３に示すように、プロジェクタ１の装置本体が収容されている。この装置本体は、外装筺体２の長手方向に沿って左右方向に延び、一方の端部が前方に延びる平面視略Ｌ字状の光学ユニット４を含んで構成される。
なお、装置本体は、図示は省略するが、光学ユニット４の他、光学ユニット４の上方側に配置されプロジェクタ１全体を制御する制御基板、光学ユニット４のＬ字内側部分で外装筺体２の前面に沿う位置に配置され外部から供給された電力を各構成部材に供給する電源ユニット、プロジェクタ１内部の各構成部材を冷却する冷却ユニット等を備えている。
【００２７】
〔３．光学ユニットの詳細な構成〕
光学ユニット４は、前記制御基板による制御の下、画像情報に応じて画像光を形成する。この光学ユニット４は、図３に示すように、光源装置４１と、均一照明光学系４２と、色分離光学系４３と、リレー光学系４４と、光学装置４５と、これら光学部品４２〜４５を内部に収納する光学部品用筐体４６とを備える。
【００２８】
光源装置４１は、前記制御基板による制御の下、点灯して平行光を均一照明光学系４２に向けて射出する。この光源装置４１は、図３に示すように、放射光源としての光源ランプ４１１と、リフレクタ４１２と、平行化凹レンズ４１３と、これら各部材４１１〜４１３を内部に収納するランプハウジング４１４とを備える。そして、光源ランプ４１１から射出された放射状の光束は、リフレクタ４１２にて反射され、平行化凹レンズ４１３を介して平行光とされる。なお、光源ランプ４１１としては、高圧水銀ランプ、メタルハライドランプ、ハロゲンランプ等が多用される。また、リフレクタ４１２としては、楕円面鏡に限らず、放物面鏡を採用してもよい。この場合には、平行化凹レンズ４１３を省略できる。
ランプハウジング４１４は、具体的な図示は省略するが、光源ランプ４１１、リフレクタ４１２、および平行化凹レンズ４１３を支持しこれら各部材４１１〜４１３を一体化するインナーハウジングと、ロアーケース２２の底面部分に取り付けられるとともに光学部品用筐体４６と接続し前記インナーハウジングにより各部材４１１〜４１３が一体化されたランプユニットを所定位置に着脱自在に支持するアウターハウジングとで構成される。
そして、光源装置４１を交換する際には、上述したランプカバー２７を天面部２１Ａに対して取り外した状態で、前記ランプユニットを交換する。
【００２９】
均一照明光学系４２は、光源装置４１から射出された光束を、光学装置４５を構成する後述する液晶パネルの画像形成領域に略均一に照明するための光学系である。この均一照明光学系４２は、図３に示すように、第１レンズアレイ４２１と、第２レンズアレイ４２２と、偏光変換素子４２３と、重畳レンズ４２４とを備える。
第１レンズアレイ４２１は、光軸方向から見て略矩形状の輪郭を有する小レンズがマトリクス状に配列された構成を有している。各小レンズは、光源装置４１から射出される光束を複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を光学装置４５の後述する液晶パネル上に結像させる機能を有している。
【００３０】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００３１】
色分離光学系４３は、図３に示すように、２枚のダイクロイックミラー４３１，４３２と、反射ミラー４３３とを備え、ダイクロイックミラー４３１，４３２により均一照明光学系４２から射出された複数の部分光束を、赤、緑、青の３色の色光に分離する機能を有している。
リレー光学系４４は、図３に示すように、入射側レンズ４４１、リレーレンズ４４３、および反射ミラー４４２，４４４を備え、色分離光学系４３で分離された赤色光を光学装置４５の後述する赤色光用の液晶パネルまで導く機能を有している。
【００３２】
この際、色分離光学系４３のダイクロイックミラー４３１では、均一照明光学系４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００３３】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学系４４を通り、さらにフィールドレンズ４２５を通って光学装置４５の後述する赤色光用の液晶パネルに達する。なお、赤色光にリレー光学系４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００３４】
光学装置４５は、図３に示すように、３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
液晶パネル４５１は、具体的な図示は省略するが、一対の透明なガラス基板に電気光学物質である液晶が密封封入された構成を有し、前記制御基板から出力される駆動信号に応じて、前記液晶の配向状態が制御され、入射側偏光板４５２から射出された偏光光束の偏光軸を変更する。
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
射出側偏光板４５３は、入射側偏光板４５２と略同様の構成であり、液晶パネル４５１から射出された光束のうち、入射側偏光板４５２における光束の透過軸と直交する偏光軸を有する光束のみ透過させ、その他の光束を吸収するものである。
そして、上述した液晶パネル４５１、入射側偏光板４５２、および射出側偏光板４５３にて光変調装置を構成し、該光変調装置にて光束を画像情報に応じて変調して光学像を形成する。
【００３５】
クロスダイクロイックプリズム４５４は、前記光変調装置から射出された色光毎に変調された光学像を合成してカラー画像を形成する光学素子である。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され射出側偏光板４５３を介した色光を反射する。このようにして、各光変調装置にて変調された各色光が合成されてカラー画像が形成される。
【００３６】
〔４．天面部に対するランプカバーの係合構造〕
図４および図５は、天面部２１Ａに対するランプカバー２７の係合構造を示す斜視図である。具体的に、図４は、天面部２１Ａに対してランプカバー２７が係合した状態を天面部２１Ａの裏面側から見た図である。図５は、天面部２１Ａに対するランプカバー２７の係合構造を示す分解斜視図である。なお、図４および図５において、左側がプロジェクタ１の背面側であり、右側がプロジェクタ１の前面側である。
天面部２１Ａには、図４または図５に示すように、天面開口部２６１Ａ（図１、図２）を有しランプカバー２７が着脱自在に取り付けられる蓋体開閉部としてのランプカバー開閉部２６が形成されている。
【００３７】
〔4-1．ランプカバー開閉部の構造〕
図６は、ランプカバー開閉部２６を上方側から見た斜視図である。なお、図６において、左側がプロジェクタ１の背面側であり、右側がプロジェクタ１の前面側である。
ランプカバー開閉部２６は、図４ないし図６に示すように、基部２６１と、係合移動部としてのスライダ部２６２（図４、図５）と、付勢部材２６３（図４、図５）と、一対の固定部材２６４（図４、図５）とを備える。
基部２６１は、図４ないし図６に示すように、天面部２１Ａに一体的に形成された部分であり、天面開口部２６１Ａ周縁部分から略垂下する平面視略矩形枠状の第１起立部２６１１と、第１起立部２６１１と接続し天面開口部２６１Ａを平面的に覆うように天面部２１Ａと略平行に延びる段差部２６１２とを有し、断面略コ字形状を有する。
この段差部２６１２には、図４ないし図６に示すように、前面側の第１起立部２６１１との接続部分に、ランプカバー２７の後述する一対の突出部を挿通可能とする一対の第１係止凹部２６１２Ａが形成されている。これら第１係止凹部２６１２Ａは、図４ないし図６に示すように、第１起立部２６１１および段差部２６１２の双方を跨ぐように形成されている。このため、前記一対の突出部を一対の第１係止凹部２６１２Ａに挿通した状態で前記一対の突出部の基端部分を支点としてランプカバー２７が上下方向に回動可能となる。
【００３８】
また、この段差部２６１２の略中央部分には、図４ないし図６に示すように、光源装置４１を構成する前記ランプユニットの平面形状に対応し天面開口部２６１Ａよりも開口面積の小さい平面視略矩形状の段差開口部２６１２Ｂが形成されている。すなわち、光源装置４１を交換する際には、ランプカバー開閉部２６からランプカバー２７を取り外した状態で、段差開口部２６１２Ｂを介して、前記ランプユニットを交換する。
この段差開口部２６１２Ｂの周縁部分において、背面側の左右方向（天面部２１Ａの長手方向）略中央部分には、図５または図６に示すように、ランプカバー２７をランプカバー開閉部２６に取り付けた状態でランプカバー２７の後述する係合突起を外装筺体２内部に挿通可能とする切り欠き２６１２Ｃが形成されている。
【００３９】
さらに、この段差部２６１２において、上方側端面には、図６に示すように、上方側に立設し、段差開口部２６１２Ｂおよび切り欠き２６１２Ｃを囲う平面視略矩形枠状の第１リブ２６１２Ｄが形成されている。
この第１リブ２６１２Ｄの内周面には、図５または図６に示すように、背面側から見て左側の端面に、ランプカバー２７の係止突起と係合する第２係止凹部２６１２Ｅが形成されている。
この第２係止凹部２６１２Ｅは、図５または図６に示すように、第１リブ２６１２Ｄにおける下方側端縁位置から上下方向略中央部分にかけて段差開口部２６１２Ｂに対して離間する方向に窪む平面視矩形状を有する。
また、第２係止凹部２６１２Ｅの上方側には、図５または図６に示すように、ランプカバー２７をランプカバー開閉部２６に取り付ける際に、ランプカバー２７の係止突起と第１リブ２６１２Ｄとが機械的に干渉することを避ける平面視矩形状の凹部２６１２Ｆが形成されている。
【００４０】
さらにまた、この段差部２６１２において、下方側端面には、図４または図５に示すように、背面側の左右方向（天面部２１Ａの長手方向）略中央部分に、スライダ部２６２、付勢部材２６３、および固定部材２６４を設置するためのスライダ設置部２６１２Ｇが形成されている。
スライダ設置部２６１２Ｇは、図４または図５に示すように、リブ２６１２Ｈと、付勢部材固定部２６１２Ｉと、一対の案内部２６１２Ｊ（図５）と、一対の固定部２６１２Ｋ（図５）とを含んで構成される。
リブ２６１２Ｈは、段差部２６１２の下方側端面に立設し、前後方向（天面部２１Ａの短辺方向）に延びる一対の側壁、および一対の側壁と接続し左右方向（天面部２１Ａの長辺方向）に延びる背面壁で構成され、切り欠き２６１２Ｃを囲う平面視略コ字形状を有する。そして、段差部２６１２の下方側端面において、リブ２６１２Ｈのコ字状内側部分に、付勢部材固定部２６１２Ｉ、一対の案内部２６１２Ｊ、および一対の固定部２６１２Ｋが形成され、スライダ部２６２、付勢部材２６３、および固定部材２６４が設置される。
このリブ２６１２Ｈの背面壁には、図４または図５に示すように、リアケース２４に形成された操作用孔２４５の対向位置に、下方側端縁から上方側にかけて平面視コ字状の切り欠き２６１２Ｈ１が形成されている。すなわち、操作用孔２４５および切り欠き２６１２Ｈ１を介して、外装筺体２外部とリブ２６１２Ｈ内部とが連通している。
【００４１】
付勢部材固定部２６１２Ｉは、図４または図５に示すように、段差部２６１２の下方側端面における切り欠き２６１２Ｃの背面側に立設し、背面側端部にて付勢部材２６３の一端を支持固定する。
一対の案内部２６１２Ｊは、図５に示すように、段差部２６１２の下方側端面において、切り欠き２６１２Ｃおよび付勢部材固定部２６１２Ｉを左右方向（天面部２１Ａの長手方向）から挟むように立設し、前後方向（天面部２１Ａの短辺方向）に延びる形状を有している。なお、図５では、一対の案内部２６１２Ｊのうち、一方の案内部２６１２Ｊのみを図示しているが、他方の案内部も同様の形状を有している。
【００４２】
一対の固定部２６１２Ｋは、図５に示すように、一対の案内部２６１２Ｊを左右方向（天面部２１Ａの長手方向）から挟むように対向配置し、一対の固定部材２６４とそれぞれ螺合する。なお、図５では、一対の固定部２６１２Ｋのうち、一方の固定部２６１２Ｋのみを図示しているが、他方の固定部２６１２Ｋも同様の形状を有している。
【００４３】
図７は、スライダ部２６２の構造を示す斜視図である。具体的に、図７は、図４および図５に示すスライダ部２６２を上方側から見た図である。なお、図７において、左側がプロジェクタ１の前面側であり、右側がプロジェクタ１の背面側である。
スライダ部２６２は、スライダ設置部２６１２Ｇ内部において、前後方向（天面部２１Ａの短辺方向）に移動可能に設置され、ランプカバー２７の後述する係合突起と係合する係合位置Ｐ１（図１０（Ａ）参照）および前記係合突起と係合しない非係合位置Ｐ２（図１０（Ｂ）参照）の間を移動する。このスライダ部２６２は、図４、図５、または図７に示すように、平面視矩形状の係合移動部本体としてのスライダ部本体２６２１と、スライダ部本体２６２１の下方側端面に形成される押圧部２６２２と、スライダ部本体２６２１の上方側端面に形成される膨出部２６２３（図７）とを備える。
【００４４】
スライダ部本体２６２１の左右方向（長辺方向）端部側には、図４、図５、または図７に示すように、前後方向（短辺方向）に延びる一対のトラック孔２６２１Ａが形成されている。そして、一対のトラック孔２６２１Ａを介して一対の固定部材２６４を一対の固定部２６１２Ｋに対して螺合することで、スライダ部２６２がスライダ設置部２６１２Ｇ内部に設置される。また、一対のトラック孔２６２１Ａが前後方向に延びる形状を有していることで、スライダ部２６２を前後方向（スライダ部本体２６２１の短辺方向）に移動可能とする。
【００４５】
押圧部２６２２は、スライダ部２６２を前面側（非係合位置Ｐ２側）に移動させる部分である。この押圧部２６２２は、図４または図５に示すように、スライダ部本体２６２１の下方側端面における背面側端縁から下方側に向けて延出する平面視矩形状の押圧部本体２６２２Ａと、押圧部本体２６２２Ａの前面側端面およびスライダ部本体２６２１の下方側端面を接続する平面視三角形状の一対の補助リブ２６２２Ｂとで構成される。そして、操作用孔２４５および切り欠き２６１２Ｈ１を介して外装筺体２外部からドライバ等の棒状部材をリブ２６１２Ｈ内部に挿通し、前記棒状部材の先端部分にて押圧部本体２６２２Ａを押圧することで、スライダ部２６２が前面側（非係合位置Ｐ２側）に移動する。
【００４６】
膨出部２６２３は、図７に示すように、スライダ部本体２６２１の上方側端面における左右方向（スライダ部本体２６２１の長辺方向）略中央部分に位置し、前後方向（スライダ部本体２６２１の短辺方向）に延びる略直方体形状を有している。スライダ部２６２をスライダ設置部２６１２Ｇに設置した状態では、膨出部２６２３における左右方向（スライダ部本体２６２１の長辺方向）両端面がそれぞれ一対の案内部２６１２Ｊの対向する各端面に当接する。このため、スライダ部２６２は、一対の案内部２６１２Ｊに沿って前後方向（スライダ部本体２６２１の短辺方向）に移動するように案内される。
そして、スライダ部２６２には、図４、図５、または図７に示すように、スライダ部本体２６２１の下方側端面、および膨出部２６２３の上方側端面を貫通する平面視矩形状の貫通孔２６２４が形成されている。
この貫通孔２６２４は、図７に示すように、前面側に位置する第１貫通孔２６２４Ａと背面側に位置する第２貫通孔２６２４Ｂとが互いに接続して、前後方向（スライダ部本体２６２１の短辺方向）に延びるように形成されている。また、この貫通孔２６２４は、図７に示すように、第１貫通孔２６２４Ａの左右方向（スライダ部本体２６２１の長辺方向）の幅寸法が第２貫通孔２６２４Ｂの左右方向の幅寸法よりも大きくなるように形成され、平面視凸字形状を有している。
そして、スライダ部２６２をスライダ設置部２６１２Ｇに設置した状態では、第１貫通孔２６２４Ａが切り欠き２６１２Ｃに応じた位置に配置される。すなわち、ランプカバー２７をランプカバー開閉部２６に取り付けた状態では、切り欠き２６１２Ｃおよび第１貫通孔２６２４Ａを介してランプカバー２７の後述する係合突起が挿通される。
【００４７】
この膨出部２６２３において、貫通孔２６２４の前面側の内周壁は、その下方側端部が前面側に窪んでフック形状を有し（図１０参照）、係合部２６２３Ａとして機能する。そして、ランプカバー２７をランプカバー開閉部２６に取り付けた状態では、ランプカバー２７の後述する係合突起と係合部２６２３Ａとが係合する。
また、係合部２６２３Ａの上方側における背面側の端面は、図７に示すように、下方側端縁から上方側端縁にかけて前面側に傾斜した傾斜面２６２３Ｂとなっている。すなわち、傾斜面２６２３Ｂは、スライダ部２６２における非係合位置Ｐ２への移動方向（プロジェクタ１の前面側に向かう方向）に直交する平面に対して天面部２１Ａ側に向かうにしたがって前記移動方向に傾斜した傾斜面となっている。
また、この膨出部２６２３において、第１貫通孔２６２４Ａと第２貫通孔２６２４Ｂとの間の一対の段差部分は、図７に示すように、下方側端縁から上方側端縁にかけて背面側に傾斜した係合移動部傾斜面としてのスライダ部傾斜面２６２３Ｃとなっている。すなわち、スライダ部傾斜面２６２３Ｃは、スライダ部２６２における係合位置Ｐ１への移動方向（プロジェクタ１の背面側に向かう方向）に直交する平面に対して天面部２１Ａ側に向かうにしたがって前記移動方向（スライダ部２６２における非係合位置Ｐ２への移動方向と逆方向）に傾斜した傾斜面となっている。
【００４８】
さらに、この膨出部２６２３において、貫通孔２６２４の背面側の内周壁には、図７に示すように、前面側に立設し、付勢部材２６３の他端を支持固定する付勢部材固定部２６２３Ｄが形成されている。すなわち、スライダ設置部２６１２Ｇにスライダ部２６２、付勢部材２６３、および固定部材２６４を設置した状態では、付勢部材２６３が一対の付勢部材固定部２６１２Ｉ，２６２３Ｄにて支持固定される。
また、この膨出部２６２３において、第２貫通孔２６２４Ｂの内周壁には、図７に示すように、左右方向（スライダ部本体２６２１の長辺方向）に跨ぐように付勢部材補助部２６２３Ｅが形成されている。この付勢部材補助部２６２３Ｅは、一対の付勢部材固定部２６１２Ｉ，２６２３Ｄに対して付勢部材２６３を良好に支持させる部分である。
【００４９】
付勢部材２６３は、図４または図５に示すように、コイルばねで構成され、一端側が基部２６１の付勢部材固定部２６１２Ｉに支持され、他端側がスライダ部２６２の付勢部材固定部２６２３Ｄに支持される。すなわち、この付勢部材２６３は、常に、基部２６１に対してスライダ部２６２を背面側（係合位置Ｐ１側）に付勢する。
一対の固定部材２６４は、スライダ部２６２を基部２６１のスライダ設置部２６１２Ｇ内に取り付ける部材である。これら固定部材２６４は、図４または図５に示すように、基部２６１の一対の固定部２６１２Ｋに螺合する固定ねじ２６４１と、固定ねじ２６４１の先端部分を挿通可能としスライダ部２６２のトラック孔２６２１Ａにおける幅寸法よりも大きい外形形状を有するワッシャ２６４２とで構成されている。
【００５０】
〔4-2．ランプカバーの構造〕
図８は、ランプカバー２７の構造を示す斜視図である。具体的に、図８は、ランプカバー２７を下方側から見た図である。なお、図８において、左側がプロジェクタ１の前面側であり、右側がプロジェクタ１の背面側である。
ランプカバー２７は、ランプカバー開閉部２６の天面開口部２６１Ａを閉塞する部材であり、図８に示すように、基体２７１と、係合突起２７２とを備える。
基体２７１は、図８に示すように、天面開口部２６１Ａに対応した平面視略矩形状の板体で構成される。
この基体２７１において、下方側端面には、図８に示すように、外周端縁から下方側に立設する平面視略矩形枠状の第２起立部２７１１が形成されている。この第２起立部２７１１は、ランプカバー２７をランプカバー開閉部２６に取り付けた際に、その外周面がランプカバー開閉部２６の第１起立部２６１１の内周面に当接する。
この第２起立部２７１１において、前面側（図８中、左側）の外周面には、ランプカバー開閉部２６の一対の第１係止凹部２６１２Ａに対応して、前面側に突出する一対の突出部２７１１Ａが形成されている。そして、一対の突出部２７１１Ａは、ランプカバー２７をランプカバー開閉部２６に取り付けた際に、一対の第１係止凹部２６１２Ａに挿通される。
【００５１】
また、この基体２７１において、下方側端面には、図８に示すように、ランプカバー開閉部２６の第１リブ２６１２Ｄに対応して、下方側に突出する平面視略矩形枠状の第２第２リブ２７１２が形成されている。そして、第２リブ２７１２は、ランプカバー２７をランプカバー開閉部２６に取り付けた際に、その外周面が第１リブ２６１２Ｄの内周面に当接する。
この第２リブ２７１２の外周面において、ランプカバー開閉部２６の第２係止凹部２６１２Ｅに対応した位置には、図８に示すように、第２係止凹部２６１２Ｅと係合する係止突起２７１２Ａが形成されている。
この係止突起２７１２Ａは、下方側端縁から上方側端縁にかけて第２リブ２７１２から離間する方向に傾斜した傾斜面２７１２Ａ１を有する略三角柱形状を有している。
さらに、この基体２７１において、下方側端面における第２リブ２７１２の内側には、基体２７１を補強する補強リブ２７１３が左右方向および／または前後方向に延びるように形成されている。
【００５２】
図９は、係合突起２７２の構造を示す斜視図である。具体的に、図９は、図８において、係合突起２７２を拡大した図である。
係合突起２７２は、基体２７１の下方側端面において、ランプカバー開閉部２６の切り欠き２６１２Ｃに対応する位置に立設し、図８または図９に示すように、下方側に突出するとともに、突出方向先端部分が前面側（図８、図９中、左側）に屈曲したフック形状を有している。そして、この係合突起２７２は、ランプカバー２７をランプカバー開閉部２６に取り付けた状態で、切り欠き２６１２Ｃおよび第１貫通孔２６２４Ａに挿通され、スライダ部２６２の係合部２６２３Ａに係合する。
【００５３】
この係合突起２７２の先端部分において、前面側（図８、図９中、左側）の端面は、下方側端縁から上方側端縁にかけて前面側に傾斜した傾斜面２７２１となっている。この傾斜面２７２１は、スライダ部２６２の傾斜面２６２３Ｂの傾斜に対応し、ランプカバー２７をランプカバー開閉部２６に取り付ける際に、傾斜面２６２３Ｂに摺接する部分である。
また、この係合突起２７２の先端部分において、背面側（図８、図９中、右側）の端面は、下方側端縁から上方側端縁にかけて背面側に傾斜した突起傾斜面２７２２となっている。この突起傾斜面２７２２は、スライダ部２６２の一対のスライダ部傾斜面２６２３Ｃの傾斜に対応し、ランプカバー２７がランプカバー開閉部２６に取り付けられている状態で、スライダ部２６２を前面側（非係合位置Ｐ２側）に移動させた場合に、一対のスライダ部傾斜面２６２３Ｃに摺接する部分である。
【００５４】
〔５．ランプカバーの開閉操作〕
次に、上述したランプカバー開閉部２６に対するランプカバー２７の開閉操作を説明する。
図１０および図１１は、ランプカバー開閉部２６に対するランプカバー２７の開閉操作を説明するための図である。具体的に、図１０（Ａ）は、ランプカバー開閉部２６に対してランプカバー２７が取り付けられた状態、すなわち、係合部２６２３Ａと係合突起２７２とが係合している状態を示す断面図である。図１０（Ｂ）は、ランプカバー開閉部２６に対してランプカバー２７を取り外した状態、すなわち、係合部２６２３Ａと係合突起２７２との係合が解除された状態を示す断面図である。なお、図１０において、左側がプロジェクタ１の背面側であり、右側がプロジェクタ１の前面側である。また、図１１は、図１０（Ｂ）をプロジェクタ１の上方側から見た斜視図である。
以下では、ランプカバー開閉部２６に対してランプカバー２７を取り付ける際の取付操作、およびランプカバー開閉部２６からランプカバー２７を取り外す際の取り外し操作を順に説明する。
【００５５】
〔5-1．ランプカバーの取付操作〕
先ず、具体的な図示は省略するが、作業者は、ランプカバー２７における一対の突出部２７１１Ａをランプカバー開閉部２６における一対の第１係止凹部２６１２Ａに挿通する。ランプカバー２７を取り付ける際には、スライダ部２６２は、付勢部材２６３により係合位置Ｐ１に位置付けられている（例えば、図１０（Ａ））。このため、上述した状態では、ランプカバー２７は、係合突起２７２における傾斜面２７２１がスライダ部２６２の傾斜面２６２３Ｂに当接し、背面側端部が天面部２１Ａに対して上方側に位置し傾斜した状態となる（例えば、図１１の状態）。
【００５６】
この状態において、作業者は、ランプカバー２７の背面側端部を下方側に押圧することで、係合突起２７２の傾斜面２７２１が傾斜面２６２３Ｂに摺接する。この際、係合突起２７２は、付勢部材２６３の付勢力に反してスライダ部２６２を前面側（図１０中、右側）に押圧して移動させる。ランプカバー２７の背面側端部の下方側への押圧状態を継続することで、傾斜面２６２３Ｂに対して傾斜面２７２１が下方側に移動し、スライダ部２６２の押圧状態が解除される。そして、図１０（Ａ）に示すように、付勢部材２６３の付勢力によりスライダ部２６２が係合位置Ｐ１側に再度、移動し、係合突起２７２および係合部２６２３Ａが係合してランプカバー開閉部２６に対してランプカバー２７が取り付けられる。
【００５７】
〔5-2．ランプカバーの取り外し操作〕
先ず、具体的な図示は省略するが、作業者は、プロジェクタ１におけるリアケース２４の操作用孔２４５からドライバ等の棒状部材を挿通し、前記棒状部材の先端部分にてスライダ部２６２の押圧部２６２２を押圧する。スライダ部２６２は、押圧部２６２２が押圧されることで、付勢部材２６３の付勢力に反して前面側（図１０中、右側）に移動する。そして、係合突起２７２および係合部２６２３Ａの係合状態が解除される。押圧部２６２２の押圧状態を継続してスライダ部２６２を非係合位置Ｐ２（図１０（Ｂ））側に移動させることで、スライダ部２６２の一対のスライダ部傾斜面２６２３Ｃが係合突起２７２の突起傾斜面２７２２に摺接する。そして、係合突起２７２がスライダ部傾斜面２６２３Ｃに沿って上方側に移動し、図１１に示すように、ランプカバー２７の背面側端部が天面部２１Ａに対して上方側に位置し傾斜した状態となる。
この状態において、作業者は、ランプカバー２７の背面側端部を前面側に押圧しつつ、上方側に持ち上げることで、ランプカバー２７が一対の突出部２７１１Ａの基端部分を支点として上方側に回動する。そして、ランプカバー開閉部２６に対してランプカバー２７が取り外される。
【００５８】
以上説明したように、本実施形態では、スライダ部２６２をプロジェクタ１の背面側（係合位置Ｐ１（図１０（Ａ））側）およびプロジェクタ１の前面側（非係合位置Ｐ２（図１０（Ｂ））側）に移動させることで、ランプカバー２７を天面部２１Ａ（ランプカバー開閉部２６）に対して着脱する。このことにより、天面部２１Ａにスライダ部２６２のみを取り付けるだけで天面部２１Ａに対するランプカバー２７の着脱が可能となり、その構造を簡素化できる。
また、スライダ部２６２には、スライダ部２６２における係合位置Ｐ１への移動方向（プロジェクタ１の背面側に向かう方向）に直交する平面に対して天面部２１Ａ側に向かうにしたがって前記移動方向（スライダ部２６２における非係合位置Ｐ２への移動方向と逆方向）に傾斜したスライダ部傾斜面２６２３Ｃが形成されている。このことにより、スライダ部２６２を非係合位置Ｐ２に移動させる際に、スライダ部傾斜面２６２３Ｃがランプカバー２７の係合突起２７２に摺接しランプカバー２７の係合突起２７２を天面部２１Ａ側に向けて押圧してランプカバー２７をリフトアップさせることができる。このため、スライダ部２６２の１部材のみで、ランプカバー２７と天面部２１Ａ（係合部２６２３Ａ）との係合状態を解除しかつ、ランプカバー２７をリフトアップさせる構造を実現できる。
したがって、天面部２１Ａに対するランプカバー２７の着脱を簡単にかつ、簡素な構造で実現できる。
【００５９】
ここで、係合突起２７２にもスライダ部傾斜面２６２３Ｃに対応した突起傾斜面２７２２が形成されているので、スライダ部２６２を非係合位置Ｐ２に移動させる際に突起傾斜面２７２２およびスライダ部傾斜面２６２３Ｃを摺接させることができ、スライダ部２６２の移動を円滑に実施できる。このため、天面部２１Ａに対してランプカバー２７を取り外す操作を円滑に実施できる。
また、ランプカバー開閉部２６がスライダ部２６２を係合位置Ｐ１側に付勢する付勢部材２６３を備えているので、スライダ部２６２は係合位置Ｐ１側に常に付勢されていることとなる。このことにより、スライダ部２６２における係合位置Ｐ１側または非係合位置Ｐ２側への２方向の移動のうち、係合位置Ｐ１側への移動を付勢部材２６３が実施することとなるので、非係合位置Ｐ２側への移動のみを手動で実施すればよい。このため、天面部２１Ａに対してランプカバー２７を着脱する際には、スライダ部２６２の前記２方向の移動のうち、非係合位置Ｐ２側への移動のみを手動で実施すればよく、ランプカバー２７の着脱操作を簡単に実施できる。
【００６０】
さらに、スライダ部２６２に押圧部２６２２が形成され、天面部２１Ａに交差するリアケース２４に操作用孔２４５が形成されている。このことにより、操作用孔２４５を介して外装筺体２外部からドライバ等の棒状部材を外装筺体２内部に挿通し、前記棒状部材の先端にて押圧部２６２２を押圧することで、スライダ部２６２を非係合位置Ｐ２側に簡単に移動させることができる。
さらにまた、操作用孔２４５がリアケース２４に形成されているので、例えば操作用孔２４５が天面部２１Ａに形成されている構成と比較して、プロジェクタ１の駆動時に光源装置４１からの漏れ光が操作用孔２４５を介してプロジェクタ１外部に漏れる量を低減できる。このため、漏れ光による投影画像に与える影響を低減でき、観賞者に投影画像を良好に観賞させることができる。
【００６１】
また、天面部２１Ａに対してランプカバー２７を取り付けた状態では、ランプカバー開閉部２６における平面視枠状の第１起立部２６１１および第１リブ２６１２Ｄと、ランプカバー２７における平面視枠状の第２起立部２７１１および第２リブ２７１２とがそれぞれ嵌合する。このため、第１リブ２６１２Ｄおよび第２リブ２７１２と、第１起立部２６１１および第２起立部２７１１とで、光源装置４１からの漏れ光を２重で遮蔽する構造を実現できる。このため、段差開口部２６１２Ｂおよび天面開口部２６１Ａを介してプロジェクタ１外部に光が漏れることを防止できる。
【００６２】
ここで、第１リブ２６１２Ｄの内周面に第２係止凹部２６１２Ｅが形成され、第２リブ２７１２の外周面に係止突起２７１２Ａが形成されている。このことにより、スライダ部２６２が非係合位置Ｐ２に位置付けられ天面部２１Ａに対してランプカバー２７が若干開いた状態（図１１に示す状態）を係止突起２７１２Ａおよび第２係止凹部２６１２Ｅの係止構造により支持できる。このため、プロジェクタ１が天吊りの姿勢状態（例えば、プロジェクタ１の底面部２２Ａが天井等の接地面に接地している状態）の場合に、スライダ部２６２を非係合位置Ｐ２に移動させて天面部２１Ａに対してランプカバー２７を取り外す際に、ランプカバー２７が外れ落ちることがなく、ランプカバー２７の取り外し作業を良好に実施できる。
【００６３】
また、前記係止構造を第１リブ２６１２Ｄおよび第２リブ２７１２に形成することで、上述したように第１リブ２６１２Ｄおよび第２リブ２７１２により漏れ光を遮蔽可能とするので、例えば、ランプカバー２７に係止突起を設け段差部２６１２に前記係止突起と係合する孔を形成した構成と比較して、前記係止構造を介してプロジェクタ１外部に漏れる漏れ光の量を低減できる。
【００６４】
なお、本発明は前述の実施形態に限定されるものではなく、本発明の目的を達成できる範囲での変形、改良等は本発明に含まれるものである。
前記実施形態では、天面部２１Ａに対してランプカバー２７を着脱可能とする構造として、係合移動部としてのスライダ部２６２をプロジェクタ１の背面側（係合位置Ｐ１側）およびプロジェクタ１の前面側（非係合位置Ｐ２側）に移動させる構成を説明したが、これに限らない。例えば、係合移動部を、前後方向ではなく左右方向（天面部２１Ａの長辺方向）に移動させる構成としてもよい。また、係合移動部を前記実施形態で説明したスライド移動ではなく、係合位置および非係合位置間を回動させる構成としてもよい。
前記実施形態では、天面部２１Ａに交差する側面部であるリアケース２４に操作用孔２４５を形成したが、これに限らず、係合移動部のスライド移動方向または回動方向に応じた側面部に形成されていればよい。例えば、操作用孔を側面部２１Ｂ，２１Ｃやフロントケース２３に形成しても構わない。
【００６５】
前記実施形態では、ランプカバー開閉部２６は、スライダ部２６２が取り付けられる基部２６１を備えていたが、これに限らず、基部２６１を省略して天面部２１Ａの裏面に直接、スライダ部２６２を取り付ける構成としても構わない。
前記実施形態において、スライダ部２６２の構造、およびスライダ部２６２を設置するためのスライダ設置部２６１２Ｇの構造は、前記実施形態で説明した構造に限らず、その他の構造を採用しても構わない。
前記実施形態では、第１リブ２６１２Ｄおよび第２リブ２７１２に係止構造（係止突起２７１２Ａおよび第２係止凹部２６１２Ｅ）が形成されていたが、これに限らず、第１起立部２６１１および第２起立部２７１１に前記係止構造を形成してもよい。また、係止突起および第２係止凹部の形成位置は、前記実施形態で説明した位置に限らず、例えば、第１リブ２６１２Ｄや第１起立部２６１１に係止突起を形成したり、第２リブ２７１２や第２起立部２７１１に第２係止凹部を形成する構成を採用してもよい。
【００６６】
前記実施形態では、光変調装置に透過型の液晶パネル４５１を採用していたが、これに限らず、反射型の液晶パネルを採用してもよく、あるいは、ディジタル・マイクロミラー・デバイス（テキサス・インスツルメント社の商標）を採用してもよい。ディジタル・マイクロミラー・デバイスを採用した場合には、入射側偏光板４５２および射出側偏光板４５３が不要となる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【００６７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００６８】
本発明のプロジェクタは、外装筺体に対する蓋体の着脱を簡単にかつ、簡素な構造で実現できるため、プレゼンテーションやホームシアターに用いられるプロジェクタとして有用である。
【図面の簡単な説明】
【００６９】
【図１】本実施形態におけるプロジェクタの外観を示す斜視図。
【図２】前記実施形態におけるプロジェクタの外観を示す斜視図。
【図３】前記実施形態におけるプロジェクタの内部構成を示す図。
【図４】前記実施形態における天面部に対するランプカバーの係合構造を示す斜視図。
【図５】前記実施形態における天面部に対するランプカバーの係合構造を示す斜視図。
【図６】前記実施形態におけるランプカバー開閉部を上方側から見た斜視図。
【図７】前記実施形態におけるスライダ部の構造を示す斜視図。
【図８】前記実施形態におけるランプカバーの構造を示す斜視図。
【図９】前記実施形態における係合突起の構造を示す斜視図。
【図１０】前記実施形態におけるランプカバー開閉部に対するランプカバーの開閉操作を説明するための図。
【図１１】前記実施形態におけるランプカバー開閉部に対するランプカバーの開閉操作を説明するための図。
【符号の説明】
【００７０】
１・・・プロジェクタ、２・・・外装筺体、３・・・投射レンズ（投射光学装置）、２１Ａ・・・天面部、２６・・・ランプカバー開閉部（蓋体開閉部）、２７・・・ランプカバー（蓋体）、４１・・・光源装置、２４５・・・操作用孔、２６１・・・基部、２６１Ａ・・・天面開口部、２６２・・・スライダ部（係合移動部）、２６３・・・付勢部材、２７２・・・係合突起、４５１・・・液晶パネル（光変調装置）、４５２・・・入射側偏光板（光変調装置）、４５３・・・射出側偏光板（光変調装置）、２６１１・・・第１起立部、２６１２・・・段差部、２６１２Ｂ・・・段差開口部、２６１２Ｄ・・・第１リブ、２６１２Ｅ・・・第２係止凹部（係止構造）、２６２１・・・スライダ部本体（係合移動部本体）、２６２２・・・押圧部、２６２３Ａ・・・係合部、２６２３Ｃ・・・スライダ部傾斜面（係合移動部傾斜面）、２７１１・・・第２起立部、２７１２・・・第２リブ、２７１２Ａ・・・係止突起（係止構造）、２７２２・・・突起傾斜面、Ｐ１・・・係合位置、Ｐ２・・・非係合位置。
【図１】
2006343503.tif 000003
【図２】
2006343503.tif 000004
【図３】
2006343503.tif 000005
【図４】
2006343503.tif 000006
【図５】
2006343503.tif 000007
【図６】
2006343503.tif 000008
【図７】
2006343503.tif 000009
【図８】
2006343503.tif 000010
【図９】
2006343503.tif 000011
【図１０】
2006343503.tif 000012
【図１１】
2006343503.tif 000013